(57)【要約】【課題】従来のコンテンツ検索装置より鮮明に利用者に思い出を回想させることができるコンテンツ検索装置を提供する。【解決手段】データベースに記録されたコンテンツから利用者に提示するコンテンツを検索するコンテンツ検索手段を備えたコンテンツ検索装置において、コンテンツ検索手段は、経路探索の目的地に到達したことがある日時を記録媒体に記録された過去の軌跡情報から取得し（Ｓ５）、取得した日時を含む所定期間内に生成されたコンテンツを検索する（Ｓ６）。【選択図】図２
2007102535.tif 000002
【特許請求の範囲】
【請求項１】
データベースに記録されたコンテンツから利用者に提示するコンテンツを検索するコンテンツ検索手段を備えたコンテンツ検索装置において、
前記コンテンツ検索手段は、経路探索の目的地に到達したことがある日時を記録媒体に記録された過去の軌跡情報から取得し、取得した日時を含む所定期間内に生成されたコンテンツを検索することを特徴とするコンテンツ検索装置。
【請求項２】
前記コンテンツ検索手段は、前記経路探索の目的地が設定されていない場合には、現在位置に至るまでの軌跡情報に類似度が高い過去の軌跡情報を前記記録媒体から取得し、取得した軌跡情報から過去に到達した目的地を抽出することを特徴とする請求項１に記載のコンテンツ検索装置。
【請求項３】
データベースに記録されたコンテンツから利用者に提示するコンテンツを検索するコンテンツ検索手段を備えたコンテンツ検索装置において、
前記コンテンツ検索手段は、現在位置に至るまでの軌跡情報に類似度が高い過去の軌跡情報を前記記録媒体から取得し、取得した軌跡情報の目的地に到達したことがある日時を含む所定期間内に生成されたコンテンツを検索することを特徴とするコンテンツ検索装置。
【請求項４】
前記コンテンツ検索手段は、前記記録媒体に記録された過去の軌跡情報に基づいて到達頻度が高い地点を選択し、選択された地点を除いて過去に到達した目的地を抽出することを特徴とする請求項１乃至請求項３の何れかに記載のコンテンツ検索装置。
【請求項５】
前記コンテンツ検索手段は、前記記録媒体に記録された自宅の位置から予め定められた範囲内を除いて過去に到達した目的地を抽出することを特徴とする請求項１乃至請求項４の何れかに記載のコンテンツ検索装置。
【請求項６】
前記コンテンツ検索手段は、前記目的地から予め定められた範囲内に到達したことがある日時を前記記録媒体に記録された過去の軌跡情報から取得し、取得した日時を含む所定期間内に生成されたコンテンツを検索することを特徴とする請求項１乃至請求項５の何れかに記載のコンテンツ検索装置。
【請求項７】
前記コンテンツ検索手段は、現在位置から前記目的地までの経由地に到達したことがある日時を前記記録媒体に記録された過去の軌跡情報から取得し、取得した日時を含む所定期間内に生成されたコンテンツを検索することを特徴とする請求項１乃至請求項６の何れかに記載のコンテンツ検索装置。
【請求項８】
前記データベースにおいて前記コンテンツに設定されたアクセス権を利用者が有するか否かを判断するアクセス判断手段を備え、
前記コンテンツ検索手段は、前記アクセス判断手段によって前記利用者がアクセス権を有すると判断されたコンテンツから前記利用者に提示するコンテンツを検索することを特徴とする請求項１乃至請求項７の何れかに記載のコンテンツ検索装置。
【請求項９】
請求項１乃至請求項８の何れかに記載のコンテンツ検索装置と、
前記コンテンツ検索装置によって検索されたコンテンツを再生するコンテンツ再生手段とを備えたことを特徴とするコンテンツ再生装置。
【発明の詳細な説明】
【技術分野】
【０００１】
本発明は、データベースに記録されたコンテンツから利用者に提示するコンテンツを検索するコンテンツ検索装置に関する。
【背景技術】
【０００２】
従来のコンテンツ検索装置としては、位置測位システムから得られる位置情報と、環境情報センサから計測される時間、気温、気圧等の環境情報とを楽曲の再生履歴と関連付けて履歴蓄積用ＲＡＭ（Random Access Memory）に記録しておき、現在位置と同一位置で過去に再生した楽曲を自動的に選曲することにより、過去に訪れた場所を再度訪れた際に、当時と同じ楽曲を再生して、利用者に思い出を回想させるものがある（例えば、特許文献１参照）。
【特許文献１】特開２００５−３８３５２号公報
【発明の開示】
【発明が解決しようとする課題】
【０００３】
しかしながら、従来のコンテンツ検索装置は、過去に再生したことがある楽曲を同じ地点で再生するだけであるため、利用者に思い出を回想させるには不十分であるといった問題があった。
【０００４】
本発明は、従来の問題を解決するためになされたもので、従来のコンテンツ検索装置より鮮明に利用者に思い出を回想させることができるコンテンツ検索装置を提供することを目的とする。
【課題を解決するための手段】
【０００５】
本発明のコンテンツ検索装置は、データベースに記録されたコンテンツから利用者に提示するコンテンツを検索するコンテンツ検索手段を備えたコンテンツ検索装置において、前記コンテンツ検索手段は、経路探索の目的地に到達したことがある日時を記録媒体に記録された過去の軌跡情報から取得し、取得した日時を含む所定期間内に生成されたコンテンツを検索するように構成されている。
【０００６】
この構成により、本発明のコンテンツ検索装置は、過去に目的地付近で撮影された写真等を利用者に提示することができるため、従来のコンテンツ検索装置より鮮明に利用者に思い出を回想させることができる。
【０００７】
なお、前記コンテンツ検索手段は、前記経路探索の目的地が設定されていない場合には、現在位置に至るまでの軌跡情報に類似度が高い過去の軌跡情報を前記記録媒体から取得し、取得した軌跡情報から過去に到達した目的地を抽出するようにしてもよい。
【０００８】
この構成により、本発明のコンテンツ検索装置は、現在位置に至るまでの軌跡情報に類似度が高い過去の軌跡情報の目的地付近で撮影された写真等を利用者に提示することができるため、従来のコンテンツ検索装置より鮮明に利用者に思い出を回想させることができると共に、目的地の候補を提示することができる。
【０００９】
また、本発明のコンテンツ検索装置は、データベースに記録されたコンテンツから利用者に提示するコンテンツを検索するコンテンツ検索手段を備えたコンテンツ検索装置において、前記コンテンツ検索手段は、現在位置に至るまでの軌跡情報に類似度が高い過去の軌跡情報を前記記録媒体から取得し、取得した軌跡情報の目的地に到達したことがある日時を含む所定期間内に生成されたコンテンツを検索するように構成されている。
【００１０】
この構成により、本発明のコンテンツ検索装置は、現在位置に至るまでの軌跡情報に類似度が高い過去の軌跡情報の目的地付近で撮影された写真等を利用者に提示することができるため、従来のコンテンツ検索装置より鮮明に利用者に思い出を回想させることができると共に、目的地の候補を提示することができる。
【００１１】
また、前記コンテンツ検索手段は、前記記録媒体に記録された過去の軌跡情報に基づいて到達頻度が高い地点を選択し、選択された地点を除いて過去に到達した目的地を抽出するようにしてもよく、前記記録媒体に記録された自宅の位置から予め定められた範囲内を除いて過去に到達した目的地を抽出するようにしてもよい。
【００１２】
この構成により、本発明のコンテンツ検索装置は、到達頻度が高い地点や自宅付近を思い出対象の目的地として推測することを防止することができる。
【００１３】
また、前記コンテンツ検索手段は、前記目的地から予め定められた範囲内に到達したことがある日時を前記記録媒体に記録された過去の軌跡情報から取得し、取得した日時を含む所定期間内に生成されたコンテンツを検索するようにしてもよい。
【００１４】
この構成により、本発明のコンテンツ検索装置は、過去に目的地付近で撮影された写真等を利用者に提示することができるため、従来のコンテンツ検索装置より鮮明に利用者に思い出を回想させることができると共に、他の目的地の候補を決めるために有用なコンテンツを提示することができる。
【００１５】
また、前記コンテンツ検索手段は、現在位置から前記目的地までの経由地に到達したことがある日時を前記記録媒体に記録された過去の軌跡情報から取得し、取得した日時を含む所定期間内に生成されたコンテンツを検索するようにしてもよい。
【００１６】
この構成により、本発明のコンテンツ検索装置は、過去に目的地までの経由地付近で撮影された写真等を利用者に提示することができるため、従来のコンテンツ検索装置より鮮明に利用者に思い出を回想させることができる。
【００１７】
また、本発明のコンテンツ検索装置は、前記データベースにおいて前記コンテンツに設定されたアクセス権を利用者が有するか否かを判断するアクセス判断手段を備え、前記コンテンツ検索手段は、前記アクセス判断手段によって前記利用者がアクセス権を有すると判断されたコンテンツから前記利用者に提示するコンテンツを検索するようにしてもよい。
【００１８】
この構成により、本発明のコンテンツ検索装置は、利用者に応じたコンテンツを利用者に提示するため、利用者に応じた思い出を利用者に回想させることができる。
【００１９】
また、本発明のコンテンツ再生装置は、前記コンテンツ検索装置と、前記コンテンツ検索装置によって検索されたコンテンツを再生するコンテンツ再生手段とを備えた構成を有している。
【００２０】
この構成により、本発明のコンテンツ再生装置は、過去に目的地付近で撮影された写真等を利用者に提示することができるため、鮮明に利用者に思い出を回想させることができる。
【発明の効果】
【００２１】
本発明は、従来のコンテンツ検索装置より鮮明に利用者に思い出を回想させることができるという効果を有するコンテンツ検索装置を提供することができる。
【発明を実施するための最良の形態】
【００２２】
以下、本発明の実施の形態について、図面を参照して説明する。
【００２３】
本実施の形態では、本発明に係るコンテンツ検索装置を備えたコンテンツ再生装置をナビゲーション装置等の車載装置に適用した例について説明する。本発明の一実施の形態の車載装置を図１に示す。
【００２４】
図１において、車載装置１は、ＣＰＵ（Central Processing Unit）１０と、ＲＡＭ１１と、ＲＯＭ（Read Only Memory）１２と、ハードディスク１３と、液晶ディスプレイ１４と、液晶ディスプレイ１４に一体に設けられたタッチパネルやリモコン等の入力装置１５と、ネットワークを介して外部の装置と通信を行うための通信モジュール１６と、ＧＰＳ（Global Positioning System）アンテナで受信した複数の衛星から送出された電波に基づいて現在位置の緯度および経度を測るＧＰＳ受信機１７と、自車の進行方位を検出するジャイロ１８と、自車の車輪の回転数に基づいて車速を検知する車速センサ１９とを備えている。
【００２５】
ＣＰＵ１０は、ＲＯＭ１２およびハードディスク１３に記憶されたプログラムをＲＡＭ１１に読み込んで、ＲＡＭ１１に読み込んだプログラムを実行することによって、ナビゲーションや経路探索を行うとともに、通信モジュール１６に対する通信制御等のように各部の制御を行うようになっている。なお、プログラムを実行するＣＰＵ１０は、本発明におけるコンテンツ検索手段を構成する。また、プログラムを実行するＣＰＵ１０および液晶ディスプレイ１４は、本発明におけるコンテンツ再生手段を構成する。
【００２６】
ハードディスク１３には、ＣＰＵ１０に実行させるためのプログラムに加えて、ナビゲーションや経路探索を行うための地図データと、過去の軌跡情報とが格納されている。ここで、過去の軌跡情報は、出発地から目的地までの走行軌跡、出発時刻、経由地の経由時刻および目的地の到着時刻等をそれぞれ表す情報を含んでいる。
【００２７】
また、ハードディスク１３には、データベースとして複数のコンテンツが格納されている。本実施の形態において、ハードディスク１３に格納されているコンテンツは、ディジタルカメラやディジタルビデオカメラで撮影された画像データや映像データを含み、少なくとも当該コンテンツの生成日時を表す属性情報を有している。
【００２８】
以上のように構成された車載装置１について図２乃至図４を用いてその動作を説明する。図２は、車載装置１の動作を説明するためのフロー図である。
【００２９】
まず、ＣＰＵ１０は、ＧＰＳ受信機１７によって測られた緯度および経度、ジャイロ１８によって検出された進行方位および車速センサ１９によって検知された車速に基づいて、現在位置を算出する（Ｓ１）。
【００３０】
ここで、入力装置１５を介して経路探索の目的地が設定されている場合には（Ｓ２）、ＣＰＵ１０は、現在位置から目的地までの経路探索を行うと共に（Ｓ３）、例えば３回／週以上のように到達頻度が高い地点や、例えば自宅から１０ｋｍ以内のように自宅に近い地点や、お迎え先のように到達後すぐに帰宅する地点（以下、総称して「除外地点」という。）に、設定された目的地があるか否かを判断する（Ｓ４）。
【００３１】
設定された目的地が除外地点にないと判断した場合には、ＣＰＵ１０は、液晶ディスプレイ１４にコンテンツを表示させずに処理を終了する。一方、設定された目的地が除外地点にないと判断した場合には、ＣＰＵ１０は、ハードディスク１３に格納された軌跡情報から目的地に到達したことがある日時を取得する（Ｓ５）。
【００３２】
次に、ＣＰＵ１０は、取得した日時を含む所定期間内の生成日時を表す属性情報を有するコンテンツをハードディスク１３に格納されたコンテンツから検索し、検索したコンテンツのリストを表すコンテンツリストを生成する（Ｓ６）。
【００３３】
ここで、所定期間は、例えば、当該日時から始まるものでもよく、当該日時を跨ぐものでもよい。また、この所定期間の長さは、予め定められていてもよく、入力装置１５を介して設定されてもよく、出発地から目的地までの距離に応じてＣＰＵ１０によって決定されてもよい。
【００３４】
次に、ＣＰＵ１０は、生成したコンテンツリストにしたがってコンテンツを液晶ディスプレイ１４に順次表示させる（Ｓ７）。ここで、ＣＰＵ１０は、コンテンツリストが表すコンテンツを無作為な順序で表示させてもよく、コンテンツの生成日時の順序で表示させてもよい。
【００３５】
一方、入力装置１５を介して経路探索の目的地が設定されていない場合には（Ｓ２）、ＣＰＵ１０は、出発地から現在位置までの走行距離が予め定められた距離、例えば１０ｋｍを超えているか否かを判断する（Ｓ８）。
【００３６】
出発地から現在位置までの走行距離が予め定められた距離を超えていると判断した場合には、ＣＰＵ１０は、現在位置に至るまでの軌跡情報に類似度が高い過去の軌跡情報（以下単に「類似軌跡情報」という。）をハードディスク１３に格納された軌跡情報から検索する（Ｓ９）。
【００３７】
ここで、ＣＰＵ１０は、図３（ａ）に示すように、出発地３０を中心とし、出発地３０から現在位置３１までを結ぶ線３２を中線とした所定の許容角度３３、例えば２０度の範囲内に少なくとも一部が含まれる過去の軌跡情報３４ａ乃至３４ｄを類似軌跡情報とする。この場合には、許容角度３３が小さいほど類似度が高くなる。
【００３８】
また、ＣＰＵ１０は、図３（ｂ）に示すように、出発地３０から現在位置３１までの走行軌跡３５上で一定距離間隔にある各地点３６ａ乃至３６ｃを中心とした所定の半径３７の各円３８ａ乃至３８ｃを通る過去の軌跡情報３９を類似軌跡情報としてもよい。この場合には、半径３７が短いほど類似度が高くなる。なお、ＣＰＵ１０は、出発地３０から離れるほど半径３７を長くして類似軌跡情報を検索するようにしてもよい。
【００３９】
このように得られた類似軌跡情報から、ＣＰＵ１０は、出発地から現在位置までの直線距離または走行距離に応じて類似軌跡情報を絞り込む。例えば、図４に示すように、ＣＰＵ１０は、現在位置が地点４１ａにある場合には、地点４２ａ乃至４２ｅをそれぞれ目的地とする軌跡情報４３ａ乃至４３ｅを類似軌跡情報とするが、現在位置が地点４１ｂにある場合には、地点４２ａを除いた地点４２ｂ乃至４２ｅをそれぞれ目的地とする軌跡情報４３ｂ乃至４３ｅに類似軌跡情報を絞り込む。同様に、ＣＰＵ１０は、現在位置が地点４１ｃにある場合には、地点４２ｃ乃至４２ｅをそれぞれ目的地とする軌跡情報４３ｃ乃至４３ｅに類似軌跡情報を絞り込む。
【００４０】
図２において、ＣＰＵ１０は、類似軌跡情報が検索された場合には、検索した軌跡情報の目的地が除外地点にあるか否かを判断する（Ｓ１０）。
【００４１】
出発地から現在位置までの走行距離が予め定められた距離を超えていないと判断した場合、類似軌跡情報が検索されなかった場合、または、検索した軌跡情報の目的地が除外地点にあると判断した場合には、ＣＰＵ１０は、現在位置を再度算出する（Ｓ１）。
【００４２】
一方、検索した軌跡情報の目的地が除外地点にないと判断した場合には、検索した軌跡情報の目的地に到達したことがある日時を取得し（Ｓ５）、取得した日時に基づいてコンテンツリストを生成する（Ｓ６）。
【００４３】
なお、ステップＳ５において、ＣＰＵ１０は、ハードディスク１３に格納された軌跡情報から目的地に到達したことがある日時を取得すると説明したが、ハードディスク１３に格納された軌跡情報から目的地付近、例えば、当該目的地から半径１０ｋｍ以内にある地点に到達したことがある日時を取得するようにしてもよい。
【００４４】
また、ステップＳ５において、ハードディスク１３に格納された軌跡情報から目的地に至るまでの経由地に到達したことがある日時をさらに取得するようにしてもよい。この場合には、ステップＳ７において、ＣＰＵ１０は、軌跡情報から得られる経由地の到達日時と、コンテンツリストが表すコンテンツの生成日時とに基づいて、各コンテンツが生成された地点付近の経由地を特定し、特定した経由地が現在位置に近いものから液晶ディスプレイ１４に表示させるようにしてもよい。
【００４５】
このような本発明の一実施の形態の車載装置１は、過去に目的地付近で撮影された写真等を液晶ディスプレイ１４に表示させることによって利用者に提示することができるため、従来のコンテンツ検索装置より鮮明に利用者に思い出を回想させることができる。
【００４６】
なお、ハードディスク１３に格納されたコンテンツには、入力装置１５等を介してアクセス権を設定できるようにし、ＣＰＵ１０は、各コンテンツのアクセス権を利用者が有するか否かを判断するアクセス判断手段を構成するようにしてもよい。
【００４７】
この場合には、ＣＰＵ１０は、入力装置１５を介して入力されたＩＤおよびパスワードに基づいて判断するようにしてもよく、図示しないカメラ等を介して得られる生体情報に基づいて判断するようにしてもよい。また、ＣＰＵ１０は、アクセス権をコンテンツ毎に設定するようにしてもよく、フォルダ毎のように複数のコンテンツにまとめて設定するようにしてもよい。
【００４８】
また、本実施の形態においては、ナビゲーションや経路探索等に用いる液晶ディスプレイ１４によってコンテンツ再生手段を構成する例を説明したが、コンテンツ再生手段を後部座席向けの表示装置のような他の表示装置によって構成してもよい。
【００４９】
また、ＣＰＵ１０は、現在位置に至るまでの軌跡情報に類似度が高い過去の軌跡情報の目的地に到達したことがある日時に基づいてコンテンツリストを生成した場合には、このコンテンツリストにしたがってコンテンツが表示されているときに、入力装置１５を介した入力に応じて当該目的地を経路探索の目的地として設定するようにしてもよい。
【００５０】
また、本実施の形態においては、コンテンツがハードディスク１３に格納されているものとして説明したが、本発明においては、ＣＰＵ１０が車載装置１に着脱自在な記憶媒体に格納されたコンテンツから利用者に提示するコンテンツを検索するようにしてもよい。
【００５１】
また、ＣＰＵ１０がコンテンツ管理サーバや自宅に設置したコンピュータ等の外部のサーバに格納されたコンテンツから利用者に提示するコンテンツを通信モジュール１６を介して検索するようにしてもよい。
【００５２】
例えば、図５に示すように、まず、ＣＰＵ１０は、設定または推定された目的地に到達したことがある日時を取得し（Ｓ２０、Ｓ５（図２））、取得した日時を表す日時情報を外部のサーバ５０に送信することにより、インデックス情報を要求する（Ｓ２１）。ここで、インデックス情報には、各地点に対応するコンテンツの数およびデータサイズを表す情報が含まれている。
【００５３】
この要求を受けたサーバ５０によって送信されたインデックス情報が通信モジュール１６に受信されると（Ｓ２２）、ＣＰＵ１０は、サーバ５０に要求するコンテンツを通信モジュール１６に受信されたインデックス情報に基づいて選択する（Ｓ２３）。
【００５４】
ここで、図６（ａ）に示すように、複数の目的地が設定されている場合、複数の類似軌跡情報が検索されている場合、または、複数の経由地に到達したことがある日時が取得されている場合において、図６（ｂ）に示すようなインデックス情報が受信された場合には、ＣＰＵ１０は、各地点Ａ乃至Ｅに対応するコンテンツを一定数、例えば、５つずつ選択する。
【００５５】
なお、ＣＰＵ１０は、Ａ地点に対して２つ、Ｂ地点に対して４つ、Ｃ地点に対して３つ、Ｄ地点に対して６つ、Ｅ地点に対して５つといったように、インデックス情報が表すコンテンツ数の比率に応じた数のコンテンツを選択するようにしてもよい。
【００５６】
図５において、ＣＰＵ１０は、選択したコンテンツを要求し（Ｓ２４）、この要求を受けたサーバ５０によって送信されたコンテンツが通信モジュール１６に受信されると（Ｓ２５）、受信されたコンテンツをハードディスク１３等にバッファリングするとともに、コンテンツリストを生成する（Ｓ２６、Ｓ６（図２））。
【００５７】
なお、ステップＳ２４において、ＣＰＵ１０は、データサイズが大きいコンテンツを要求する場合には、当該コンテンツを圧縮するようサーバ５０に要求するようにしてもよい。
【産業上の利用可能性】
【００５８】
以上のように、本発明にかかるコンテンツ検索装置は、従来のコンテンツ検索装置より鮮明に利用者に思い出を回想させることができるという効果を有し、例えば、データベースに記録されたコンテンツから利用者に提示するコンテンツを検索するコンテンツ検索装置等として有用である。
【図面の簡単な説明】
【００５９】
【図１】本発明の一実施の形態における車載装置のブロック図
【図２】本発明一実施の形態における車載装置の動作を説明するためのフロー図
【図３】本発明一実施の形態における車載装置の類似軌跡情報の判定動作を説明するための概念図
【図４】本発明一実施の形態における車載装置の類似軌跡情報の絞り込み動作を説明するための概念図
【図５】本発明一実施の形態における車載装置のコンテンツの取得動作を説明するためのシーケンス図
【図６】本発明一実施の形態における車載装置によって取得されるコンテンツのインデックス情報の一例を示す表
【符号の説明】
【００６０】
１  車載装置
１０  ＣＰＵ
１１  ＲＡＭ
１２  ＲＯＭ
１３  ハードディスク
１４  液晶ディスプレイ
１５  入力装置
１６  通信モジュール
１７  ＧＰＳ受信機
１８  ジャイロ
１９  車速センサ
【図１】
2007102535.tif 000003
【図２】
2007102535.tif 000004
【図３】
2007102535.tif 000005
【図４】
2007102535.tif 000006
【図５】
2007102535.tif 000007
【図６】
2007102535.tif 000008